(57)【特許請求の範囲】
【請求項１】
入力信号を第１のベクトル調整器を介して主増幅器で増幅した信号と前記入力信号を第１の遅延線を介した逆相信号とにより歪成分を検出する歪検出ループと、前記歪成分を第２のベクトル調整器を介して補助増幅器で増幅した信号と前記主増幅器で増幅した信号を第２の遅延線を介した信号とにより歪成分を相殺して出力する歪除去ループと、前記歪検出ループから抽出した入力信号の検波レベルおよび前記検出ループに注入し、前記歪除去ループから抽出したパイロット信号の検出レベルがそれぞれ最小になるように、前記第１のベクトル調整器及び前記第２のベクトル調整器の減衰量と位相量を調整する制御回路とを有する歪補償増幅器であって、
当該歪補償増幅器の入力端と出力端との間に配線されたバイパスケーブルと、
前記入力信号を当該歪補償増幅器と前記バイパスケーブルとのいずれかの入力に切替え入力する入力側切替器と、
前記歪補償増幅器からの出力信号と前記バイパスケーブルからの出力信号とのいずれかを切替え出力する出力側切替器とを有し、
前記制御回路が、前記検波レベルを監視し、該検波レベルが予め定めたしきい値より大きくなったときに、前記入力側切替器と前記出力側切替器とを前記バイパスケーブル側に切替える制御を行うように構成された歪補償増幅器。
【請求項２】
入力信号を第１のベクトル調整器を介して主増幅器で増幅した信号と前記入力信号を第１の遅延線を介した逆相信号とにより歪成分を検出する歪検出ループと、前記歪成分を第２のベクトル調整器を介して補助増幅器で増幅した信号と前記主増幅器で増幅した信号を第２の遅延線を介した信号とにより歪成分を相殺して出力する歪除去ループと、前記歪検出ループから抽出した入力信号の検波レベルおよび前記検出ループに注入し、前記歪除去ループから抽出したパイロット信号の検出レベルがそれぞれ最小になるように、前記第１のベクトル調整器及び前記第２のベクトル調整器の減衰量と位相量を調整する制御回路とを有する歪補償増幅器であって、
当該歪補償増幅器の入力端と出力端との間に配線されたバイパスケーブルと、
前記入力信号を当該歪補償増幅器と前記バイパスケーブルとのいずれかの入力に切替え入力する入力側切替器と、
前記歪補償増幅器からの出力信号と前記バイパスケーブルからの出力信号とのいずれかを切替え出力する出力側切替器とを有し、
前記制御回路が、前記パイロット信号の検出レベルを監視し、該検出レベルが一定レベルより小さくならないときに、前記入力側切替器と前記出力側切替器とを前記バイパスケーブル側に切替える制御を行うように構成された歪補償増幅器。
【発明の詳細な説明】
【０００１】
【発明の属する技術分野】
本発明は、自動車電話，携帯電話などの移動通信システムにおける基地局および中継装置に用いられる歪補償増幅器に関するものでる。
【０００２】
【従来の技術】
例えば、中継装置は、基地局からの電波を中継増幅し、移動局に対して電波を再送出する。この場合、多チャネルの電波を同時に増幅することになるが、その際に、共通増幅器の非直線性により発生する混変調歪を抑圧するために、非線形歪補償回路として自己調整形フィードフォワード（ＳＡＦＦ：Ｓｅｌｆ  Ａｄｊｕｓｔｉｎｇ  Ｆｅｅｄ  Ｆｏｒｗａｒｄ  ）回路と呼ばれる歪補償増幅器を実装した装置が用いられている。
【０００３】
図２は、従来のフィードフォワード形歪補償増幅器の回路例図である。図において、１，４，９は方向性結合器、２，７はベクトル調整器、３は主増幅器、５，６は遅延線、８は補助増幅器、１０は増幅器、１１はパイロット信号発生器、１２は検波器、１３はパイロット信号の受信器、１４は制御回路である。
方向性結合器１と４の間の回路は歪検出ループであり、入力多周波信号が主増幅器３で増幅されるときに発生する相互変調歪，雑音などの歪成分（誤差成分）を検出する。
方向性結合器４と９の間の回路は歪除去ループであり、上記の歪検出ループで検出された誤差成分を補助増幅器８で所望の値に増幅して位相を反転した信号と、遅延線６を介して方向性結合器９に入力される歪成分を含んだ増幅信号とを逆相加算する。このようにして主増幅器３で増幅したとき発生した歪成分が除去（相殺）された増幅信号が出力される。
【０００４】
ベクトル調整器２，７、及びパイロット信号発生器１１，検波器１２，受信器１３，制御回路１４は、歪検出ループで取り出した歪成分を歪除去ループで除去する際の最適調整値を設定するために設けられている。
制御回路１４には、増幅器１０で増幅された歪成分を検波する検波器１２の検波出力と、パイロット信号を受信検出する受信器１３からのパイロット信号とが入力され、それぞれディジタル信号処理によって歪補償最適値を判定した後、振幅・位相制御信号をベクトル調整器２，７に入力する。
【０００５】
すなわち、歪検出ループのベクトル調整器２は、歪検出ループで検出した歪成分を増幅器１０で抽出増幅し、検波器１２で検波した信号を制御回路１４に入力し最適制御値を求めた後、出力される制御信号で位相・振幅が調整され、増幅信号の検波出力が最小となるように自己調整される。
一方、歪除去ループのベクトル調整器７は、歪検出ループの主増幅器３の出力側に注入された例えば帯域外周波数のパイロット信号を、方向性結合器９の出力側から、そのレベルを相関検出器などの狭帯域検出器を備えた受信器１３によって抽出し、制御回路１４に入力して最適制御値を求めた後、出力される制御信号で位相・振幅が調整され、抽出レベルが最小となるように自己調整される。
【０００６】
上記の歪補償増幅器を実際に使用しているとき、何らかの故障が発生して、所定の歪補償機能が果たせなくなった場合には、歪成分が出力されてシステムダウンとなり、利用者にサービスできなくなる。
このような故障によるシステムダウンを防ぐため、制御回路１４は、検波器１２の出力と受信器１３の出力を監視し、検波出力がある値より大きくなったとき、及びパイロット信号受信器１３の出力が一定レベルより小さくならないとき、制御信号ａを出力して主増幅器３の電源をオフにして歪補償増幅器の増幅機能を停止させるように構成されている。
【０００７】
【発明が解決しようとする課題】
しかしながら、故障時に増幅機能を完全に停止させると多周波信号は出力されず、回線が全く使用できなくなるという問題がある。
【０００８】
本発明の目的は、歪補償増幅器すなわち多周波共通増幅器が故障して歪補償動作が異常となったとき、回線が全く使用できないという従来技術の問題点を緩和し、出力レベルは低下するが回線の使用ができるようにした歪補償増幅器を提供することにある。
【０００９】
【課題を解決するための手段】
この目的を達成するために、本発明による歪補償増幅器は、入力信号を第１のベクトル調整器を介して主増幅器で増幅した信号と前記入力信号を第１の遅延線を介した逆相信号とにより歪成分を検出する歪検出ループと、前記歪成分を第２のベクトル調整器を介して補助増幅器で増幅した信号と前記主増幅器で増幅した信号を第２の遅延線を介した信号とにより歪成分を相殺して出力する歪除去ループと、前記歪検出ループから抽出した入力信号の検波レベルおよび前記検出ループに注入し、前記歪除去ループから抽出したパイロット信号の検出レベルがそれぞれ最小になるように、前記第１のベクトル調整器及び前記第２のベクトル調整器の減衰量と位相量を調整する制御回路とを有する歪補償増幅器であって、
当該歪補償増幅器の入力端と出力端との間に配線されたバイパスケーブルと、
前記入力信号を当該歪補償増幅器と前記バイパスケーブルとのいずれかの入力に切替え入力する入力側切替器と、
前記歪補償増幅器からの出力信号と前記バイパスケーブルからの出力信号とのいずれかを切替え出力する出力側切替器とを有し、
前記制御回路が、前記検波レベルを監視し、該検波レベルが予め定めたしきい値より大きくなったときに、前記入力側切替器と前記出力側切替器とを前記バイパスケーブル側に切替える制御を行うことを特徴とする構成を有している。
【００１０】
さらに、本発明による歪補償増幅器は、入力信号を第１のベクトル調整器を介して主増幅器で増幅した信号と前記入力信号を第１の遅延線を介した逆相信号とにより歪成分を検出する歪検出ループと、前記歪成分を第２のベクトル調整器を介して補助増幅器で増幅した信号と前記主増幅器で増幅した信号を第２の遅延線を介した信号とにより歪成分を相殺して出力する歪除去ループと、前記歪検出ループから抽出した入力信号の検波レベルおよび前記検出ループに注入し、前記歪除去ループから抽出したパイロット信号の検出レベルがそれぞれ最小になるように、前記第１のベクトル調整器及び前記第２のベクトル調整器の減衰量と位相量を調整する制御回路とを有する歪補償増幅器であって、
当該歪補償増幅器の入力端と出力端との間に配線されたバイパスケーブルと、
前記入力信号を当該歪補償増幅器と前記バイパスケーブルとのいずれかの入力に切替え入力する入力側切替器と、
前記歪補償増幅器からの出力信号と前記バイパスケーブルからの出力信号とのいずれかを切替え出力する出力側切替器とを有し、
前記制御回路が、前記パイロット信号の検出レベルを監視し、該検出レベルが一定レベルより小さくならないときに、前記入力側切替器と前記出力側切替器とを前記バイパスケーブル側に切替える制御を行うことを特徴とする構成をとることもできる。
【００１１】
【発明の実施の形態】
図１は本発明の実施例を示す回路図である。図において、図２の従来回路と異なる点は、入出力部に切替器ＳＷ１とＳＷ２を設け、入出力間にバイパスケーブル１５を設け、制御回路１４から異常時に出力される制御信号ａを異常信号として切替制御回路１６に与えてＳＷ１，ＳＷ２をバイパスケーブル１５側に同時に切替えるようにしたことである。
【００１２】
このようにして、異常時には、増幅機能が停止されるので、レベルは低下するが入力信号を直接出力側へバイパスして出力信号として利用することができるようにした。
【００１３】
切替制御回路１６は、制御回路１４にその機能を持たせて新たに設けなくてもよい。
【００１４】
【発明の効果】
以上詳細に説明したように、本発明を実施することにより、歪補償増幅器が故障して動作が異常となった場合でも、故障修復までの間、レベルは低くても回線を使用することができる。
特に、歪補償増幅器の利得が低い場合には、異常となって入力信号をバイパスしても出力レベルの低下が少ないので実用上極めて有効である。
【図面の簡単な説明】
【図１】本発明の実施例を示すブロック図である。
【図２】従来の回路ブロック図である。
【符号の説明】
１，４，９  方向性結合器
２，７  ベクトル調整器
３  主増幅器
５，６  遅延線
８  補助増幅器
１０  増幅器
１１  パイロット信号発生器
１２  検波器
１３  受信器
１４  制御回路
１５  バイパスケーブル
１６  切替制御回路
【図１】
0003553308.tif 000002
【図２】
0003553308.tif 000003